(57)【要約】【課題】多画面表示可能な映像表示装置において、ＰＣから出力される音声とテレビ放送の音声の双方を出力する場合には、ユーザーが所望の音声を聞きづらかったり、聞き逃したりすること。【解決手段】２画面表示で出力している映像のどちらか一方がＰＣから出力される映像である場合、ＰＣから出力された音声信号が予め設定されている時間よりも長く出力されたとき、ＰＣから出力された音声信号の出力を止め、他方の音声信号のみを出力する。【選択図】図１
2008028610.tif 000002
【特許請求の範囲】
【請求項１】
入力される複数の音声信号の一つを選択して第一の音声信号として出力するとともに、選択した音声信号がＰＣからの入力信号である場合に第一のＰＣ入力検知信号を出力する第一の入力信号選択手段と、
入力される複数の音声信号の一つを選択して第二の音声信号として出力するとともに、選択した音声信号がＰＣからの入力信号である場合に第二のＰＣ入力検知信号を出力する第二の入力信号選択手段と、
前記第一の入力信号選択手段から第一のＰＣ入力検知信号が入力された場合、第一のＰＣ入力検知信号が入力されてから第一の音声信号が無音状態になるまで時間を測定し、前記第二の入力信号選択手段から第二のＰＣ入力検知信号が入力された場合、第二のＰＣ入力検知信号が入力されてから第二の音声信号が無音状態になるまで時間を測定する音声出力時間測定手段と、
前記音声出力時間測定手段で測定した時間が所定の閾値より大きければ検出信号を出力する設定時間超過検出手段と、
前記設定時間超過検出手段から出力される検出信号と前記第一の入力信号選択手段から入力される第一のＰＣ入力検知信号が入力された場合は第二の音声信号を出力として選択し、前記設定時間超過検出手段から出力される検出信号と前記第二の入力信号選択手段から入力される第二のＰＣ入力検知信号が入力された場合、第二の音声信号を出力として選択する出力音声選択手段とを備えた映像表示装置。
【請求項２】
入力される複数の音声信号の一つを選択して第一の音声信号として出力するとともに、選択した音声信号がＰＣからの入力信号である場合に第一のＰＣ入力検知信号を出力する第一の入力信号選択手段と、
入力される複数の音声信号の一つを選択して第二の音声信号として出力するとともに、選択した音声信号がＰＣからの入力信号である場合に第二のＰＣ入力検知信号を出力する第二の入力信号選択手段と、
第一の音声信号が入力され、前記第一の入力信号選択手段から第一のＰＣ入力検知信号が入力された場合には第一の音声信号を増幅して出力し、前記第一の入力信号選択手段から第一のＰＣ入力検知信号が入力されない場合には第一の音声信号を増幅せずに出力する第一のＰＣ音声増幅手段と、
第二の音声信号が入力され、前記第二の入力信号選択手段から第二のＰＣ入力検知信号が入力された場合に第二の音声信号を増幅して出力し、前記第二の入力信号選択手段から第二のＰＣ入力検知信号が入力されない場合には第二の音声信号ｂを増幅せずに出力する第二のＰＣ音声増幅手段と、
前記第一のＰＣ音声増幅手段の出力と前記第二のＰＣ音声増幅手段の出力を多重して出力する音声多重手段とを備えた映像表示装置。
【発明の詳細な説明】
【技術分野】
【０００１】
本発明は複数の映像を表示する映像表示装置に関するものである。
【背景技術】
【０００２】
映像表示装置においては多画面表示する場合、一般には出力する音声は表示中のメイン側の映像に対応した音声のみを出力される。また複数の音声を出力する場合には、入力される音声の条件を検出し、条件に合致した方の音声に切り替えるものや、あるいは、モノラル音声に変換し、たとえば左右の２画面表示の場合、右側の映像に対応する音声は右側のスピーカーから、左側の映像に対応する音声は左側のスピーカーから出力することにより聞きづらさの改善を図る手法が提案されている（例えば、特許文献１に記載）。。
【０００３】
昨今の映像表示装置においてはＰＣ（Ｐｅｒｓｏｎａｌ  Ｃｏｍｐｕｔｅｒ）から出力される映像信号や音声信号も入力可能となっており、たとえばテレビ放送の映像とＰＣからの出力の映像とを２画面表示させて、テレビ放送の音声とＰＣから出力される音声を同時に出力してテレビ放送を視聴しながらＰＣで作業を行い、ＰＣ作業時の警告音等も聞く場合がある。
【特許文献１】特開２００３−２９８９７２号公報
【発明の開示】
【発明が解決しようとする課題】
【０００４】
しかしながら、ＰＣ作業時の誤操作等によって警告音などのＰＣの音声が出力され続けた場合、テレビ放送の音声とＰＣから出力される音声が同時に出力され続けるので、テレビ放送の音声が聞き取りにくくなる。また、ＰＣから出力される音声は例えば警告音など期間の短い音声も多く、特にこのような期間の短い音声信号は、テレビ放送の音声がＰＣから出力される音声に比べて大きい場合には、ユーザーは気づかないことが多く、聞き逃してしまう場合がある。このように、多画面表示可能な映像表示装置において、ＰＣから出力される音声とテレビ放送の音声の双方を出力する場合には、ユーザーが所望の音声を聞きづらかったり、聞き逃したりするという課題があった。
【０００５】
本発明の目的は、上記の課題を解決するものであって、多画面表示可能な映像表示装置において、ＰＣから出力される音声とテレビ放送の音声の双方を出力する場合であってもユーザーが所望の音声を聞きづらかったり、聞き逃したりすることを防止することができる映像表示装置を提供することである。
【課題を解決するための手段】
【０００６】
第１の発明に係る映像表示装置は、入力される複数の音声信号の一つを選択して第一の音声信号として出力するとともに、選択した音声信号がＰＣからの入力信号である場合に第一のＰＣ入力検知信号を出力する第一の入力信号選択手段と、入力される複数の音声信号の一つを選択して第二の音声信号として出力するとともに、選択した音声信号がＰＣからの入力信号である場合に第二のＰＣ入力検知信号を出力する第二の入力信号選択手段と、第一の入力信号選択手段から第一のＰＣ入力検知信号が入力された場合、第一のＰＣ入力検知信号が入力されてから第一の音声信号が無音状態になるまで時間を測定し、第二の入力信号選択手段から第二のＰＣ入力検知信号が入力された場合、第二のＰＣ入力検知信号が入力されてから第二の音声信号が無音状態になるまで時間を測定する音声出力時間測定手段と、音声出力時間測定手段で測定した時間が所定の閾値より大きければ検出信号を出力する設定時間超過検出手段と、設定時間超過検出手段から出力される検出信号と前記第一の入力信号選択手段から入力される第一のＰＣ入力検知信号が入力された場合は第二の音声信号を出力として選択し、設定時間超過検出手段から出力される検出信号と前記第二の入力信号選択手段から入力される第二のＰＣ入力検知信号が入力された場合、第二の音声信号を出力として選択する出力音声選択手段とを備えるものである。
【０００７】
また、第二の発明にかかる映像表示装置は、入力される複数の音声信号の一つを選択して第一の音声信号として出力するとともに、選択した音声信号がＰＣからの入力信号である場合に第一のＰＣ入力検知信号を出力する第一の入力信号選択手段と、入力される複数の音声信号の一つを選択して第二の音声信号として出力するとともに、選択した音声信号がＰＣからの入力信号である場合に第二のＰＣ入力検知信号を出力する第二の入力信号選択手段と、第一の音声信号が入力され、第一の入力信号選択手段から第一のＰＣ入力検知信号が入力された場合には第一の音声信号を増幅して出力し、第一の入力信号選択手段から第一のＰＣ入力検知信号が入力されない場合には第一の音声信号を増幅せずに出力する第一のＰＣ音声増幅手段と、第二の音声信号が入力され、第二の入力信号選択手段から第二のＰＣ入力検知信号が入力された場合に第二の音声信号を増幅して出力し、前記第二の入力信号選択手段から第二のＰＣ入力検知信号が入力されない場合には第二の音声信号ｂを増幅せずに出力する第二のＰＣ音声増幅手段と、第一のＰＣ音声増幅手段の出力と前記第二のＰＣ音声増幅手段の出力を多重して出力する音声多重手段とを備えるものである。
【発明の効果】
【０００８】
以上のように本発明によれば、テレビ放送の映像とＰＣから出力される映像を２画面表示させて、テレビ放送の音声とＰＣから出力される音声との両方を同時に出力して、テレビ放送を視聴しながらＰＣで作業を行い、ＰＣ作業時の警告音等も聞く場合、多画面表示可能な映像表示装置において、ＰＣから出力される音声とテレビ放送の音声の双方を出力する場合には、ユーザーが所望の音声を聞きづらかったり、聞き逃したりすることを防止できる。
【発明を実施するための最良の形態】
【０００９】
以下本発明を実施するための最良の形態について、図面を参照しながら説明する。
【００１０】
（実施の形態１）
図１は本発明の一実施の形態によるテレビ受像機の構成ブロック図である。
【００１１】
図１に示すテレビ受像機は第一の入力信号選択手段１、第二の入力信号選択手段２、２画面表示処理回路３、映像表示手段４、音声多重手段５、音声出力時間測定手段６、音声信号出力時間設定手段７、設定時間超過検出手段８、第一の出力音声選択手段９、音声増幅手段１０、スピーカー１１を含む。
【００１２】
第一の入力信号選択手段１は入力される複数の映像信号と音声信号の組の内いずれか１組を選択し、映像信号ａ及び第一の音声信号ａとして出力する。また、選択した映像信号及び音声信号がＰＣからの入力信号である場合には第一のＰＣ入力検知信号Ａを出力する。ここで入力される映像信号及び音声信号がＰＣからの入力信号であるか否かの判断は、当該映像信号及び音声信号がＰＣ入力用の端子から入力された場合はＰＣからの入力信号と判断し、その他の入力端子から入力された場合は、ＰＣからの入力信号ではないと判断する。
【００１３】
第二の入力信号選択手段２は入力される複数の映像信号と音声信号の組の内いずれか１組を選択し、映像信号ｂ及び第二の音声信号ｂとして出力する。また、選択した映像信号及び音声信号がＰＣからの入力信号である場合には第二のＰＣ入力検知信号Ｂを出力する。ここで入力される映像信号及び音声信号がＰＣからの入力信号であるか否かの判断は、当該映像信号及び音声信号がＰＣ入力用の端子から入力された場合はＰＣからの入力信号と判断し、その他の入力端子から入力された場合は、ＰＣからの入力信号ではないと判断する。
【００１４】
２画面表示処理回路３は第一の入力信号選択手段１からの映像信号ａと、第二の入力信号選択手段２からの映像信号ｂが入力され、２画面用の映像信号に処理して出力する。
【００１５】
映像表示手段４は２画面表示処理回路からの出力される映像信号を入力して２画面表示する。
【００１６】
音声多重手段５は第一の入力信号選択手段１および第二の入力信号選択手段２から出力される第一の音声信号ａおよび第二の音声信号ｂを多重して第三の音声信号ｃとして出力する。
【００１７】
音声出力時間測定手段６は第一の入力信号選択手段１から第一のＰＣ入力検知信号Ａが入力された場合、第一の音声信号ａが無音状態であるか、音声情報が有る状態であるかを検知する。音声情報が有る場合には、時間の計測を開始し、第一の音声信号ａが無音状態になるまで時間を計測し続ける。ここで音声信号が無音状態とは、音声信号を増幅してスピーカーに入力しても、スピーカーが全くまたは人間が聞き分ける事ができる程度に音を発しない程度のエネルギーの低い音声信号のことを指す。同様に第二の入力信号選択手段２から第二のＰＣ入力検知信号Ｂが入力された場合、時間の計測を開始し、第二の音声信号ｂが無音状態になるまで時間を計測し続ける。以下、音声出力時間測定手段６に第一のＰＣ入力検知信号Ａが入力されてから第一の音声信号ａが無音状態になるまで時間、及び、音声出力時間測定手段６に第二のＰＣ入力検知信号Ｂが入力されてから第二の音声信号ｂが無音状態になるまで時間を連続音声期間と称する。
【００１８】
音声信号出力時間設定手段７はＰＣから出力される音声の連続を連続して出力できる期間に関する閾値情報である、音声期間閾値情報を記憶している。
【００１９】
設定時間超過検出手段８は音声出力時間測定手段６で計測するＰＣから出力される音声信号に音声情報のある期間と音声信号出力時間設定手段７に記憶されている音声期間情報を比較し、音声信号出力時間設定手段７に記憶されている音声期間情報より、音声出力時間測定手段６ので計測されている連続音声期間の方が大きい場合に検出信号を出力し、測定値の方が小さい場合には検出信号を出力しない。
【００２０】
第一の出力音声選択手段９は設定時間超過検出手段８の検出信号と第一の入力信号選択手段１から入力される第一のＰＣ入力検知信号Ａの双方が入力された場合、第二の音声信号ｂを選択出力し、設定時間超過検出手段の検出信号と第二の入力信号選択手段２から入力される第二のＰＣ入力検知信号Ｂが入力された場合、第一の音声信号ａを選択出力する。また、設定時間超過検出手段の検出信号が入力されていない場合には入力信号選択手段Ａの第一の音声信号ａと入力信号選択手段Ｂの第二の音声信号ｂと音声選択多重手段からの出力音声信号ｃのいずれか一つを選択し出力する。
【００２１】
音声増幅手段１０は第一の出力音声選択手段９からの出力音声信号を増幅して出力する。
【００２２】
スピーカー１１は音声増幅手段１０からの音声信号を音声として出力する。
【００２３】
かかる構成によると、２画面表示で出力している映像のどちらか一方がＰＣから出力される映像である場合、ＰＣから出力された音声信号が予め設定されている時間以上出力されたとき、ＰＣ側の音声信号の出力を止め、他方の音声信号のみを出力することができる。
【００２４】
本発明によれば、たとえばテレビ放送とＰＣから入力される映像信号を２画面表示させて、テレビ放送とＰＣから出力される音声信号の両方を同時に出力してテレビ放送を視聴しながらＰＣで作業を行い、ＰＣ作業時の警告音等も聞く場合、ＰＣ作業時の誤操作によってＰＣの音声が出力され続けることにより、テレビ放送の音声が聞き取りにくくなることを防止することができる。
【００２５】
（実施の形態２）
図２は第２の発明の一実施の形態によるテレビ受像機の構成ブロック図である。
【００２６】
図１に示すテレビ受像機は第一の入力信号選択手段１、第二の入力信号選択手段２、２画面表示処理回路３、映像表示手段４、音声増幅手段１０、スピーカー１１、第一のＰＣ音声増幅手段１２、第二のＰＣ音声増幅手段１３、音声多重手段１４、第二の出力音声選択手段１５を含む。
【００２７】
第一の入力信号選択手段１は入力される複数の映像信号と音声信号の組の内いずれか１組を選択し、映像信号ａ及び第一の音声信号ａとして出力する。また、選択した映像信号及び音声信号がＰＣからの入力信号である場合には第一のＰＣ入力検知信号Ａを出力する。ここで入力される映像信号及び音声信号がＰＣからの入力信号であるか否かの判断は、当該映像信号及び音声信号がＰＣ入力用の端子から入力された場合はＰＣからの入力信号と判断し、その他の入力端子から入力された場合は、ＰＣからの入力信号ではないと判断する。
【００２８】
第二の入力信号選択手段２は入力される複数の映像信号と音声信号の組の内いずれか１組を選択し、映像信号ｂ及び第二の音声信号ｂとして出力する。また、選択した映像信号及び音声信号がＰＣからの入力信号である場合には第二のＰＣ入力検知信号Ｂを出力する。ここで入力される映像信号及び音声信号がＰＣからの入力信号であるか否かの判断は、当該映像信号及び音声信号がＰＣ入力用の端子から入力された場合はＰＣからの入力信号と判断し、その他の入力端子から入力された場合は、ＰＣからの入力信号ではないと判断する。
【００２９】
２画面表示処理回路３は第一の入力信号選択手段１からの映像信号ａと、第二の入力信号選択手段２からの映像信号ｂが入力され、２画面用の映像信号に処理して出力する。
【００３０】
映像表示手段４は２画面表示処理回路からの出力される映像信号を入力して２画面表示する。
【００３１】
第一のＰＣ音声増幅手段１２は第一の入力信号選択手段１から第一のＰＣ入力検知信号Ａが入力された場合に第一の音声信号ａを増幅して出力し、第一のＰＣ入力検知信号Ａが入力されない場合に第一の音声信号ａを増幅せずに出力する。
【００３２】
第二のＰＣ音声増幅手段１３は第二の入力信号選択手段２から第二のＰＣ入力検知信号Ｂが入力された場合に第二の音声信号ｂを増幅して出力し、第二のＰＣ入力検知信号Ｂが入力されないには第二の音声信号ｂを増幅せずに出力する。
【００３３】
音声多重手段１４は音声増幅手段Ａ、Ｂから出力される音声信号を多重して出力する。
【００３４】
第二の出力音声選択手段１５は音声増幅手段Ａの出力音声信号と音声増幅手段Ｂの出力音声信号と音声選択多重手段からの出力音声信号のいずれか一つを選択出力する。
【００３５】
音声増幅手段１０は第二の出力音声選択手段１５からの出力を増幅して出力する。
【００３６】
スピーカー１１は音声増幅手段１０からの音声信号を出力する。
【００３７】
かかる構成によれば、２画面表示で出画している映像のどちらか一方がＰＣから入力される映像信号である場合、ＰＣから入力される音声信号の多重の重みを大きくすることができる。
【００３８】
本発明によれば、テレビ放送の映像とＰＣから出力される映像を２画面表示させて、テレビ放送の音声とＰＣから出力される音声の両方を同時に出力してテレビ放送を視聴しながらＰＣで作業を行う場合であっても、ＰＣ作業時の警告音等のＰＣから出力される音声信号が増幅される為、ＰＣからの警告音等を聞き取りやすくすることができる。
【産業上の利用可能性】
【００３９】
本発明にかかるテレビ受像機は、たとえばＴＶとＰＣを２画面表示させて、ＴＶとＰＣの両方の音声を同時に出力してＴＶを視聴しながらＰＣで作業を行い、ＰＣ作業時の警告音等も聞く場合、ＰＣ作業時の誤操作によってＰＣの音声が出力され続けてしまい、ＴＶの音声が聞き取りにくくなるという欠点を改善することが可能となり、また、ＰＣの警告音等を聞きとりやすくすることが可能となるものであり、テレビ受像機において有用である。
【図面の簡単な説明】
【００４０】
【図１】本発明の実施の形態１におけるテレビ受像機の構成を示すブロック図
【図２】本発明の実施の形態２におけるテレビ受像機の構成を示すブロック図
【符号の説明】
【００４１】
１    第一の信号選択手段
２    第二の信号選択手段
３    ２画面表示処理回路
４    映像表示手段
５    音声多重手段
６    音声出力時間測定手段
７    音声信号出力時間設定手段
８    設定時間超過検出手段
９    第一の出力音声選択手段
１０    音声増幅手段
１１    スピーカー
１２    第一のＰＣ音声増幅手段
１３    第二のＰＣ音声増幅手段
１４    音声多重手段
１５    第二の出力音声選択手段
【図１】
2008028610.tif 000003
【図２】
2008028610.tif 000004